(57)【要約】【課題】呼出があったインターホン子機が設置されている場所に応対者が駆けつけるまでの時間が長くなることを抑制することが可能なインターホンシステムを提供する。【解決手段】複数の携帯端末１１と、インターホン親機１３と、所定の呼出テーブルに基づいて少なくとも前記携帯端末１１を呼び出すことが可能なインターホン子機１２と、携帯端末１１の位置情報を定期的に取得する位置情報システム１５と、を備え、呼出テーブルは、位置情報に基づいて、インターホン子機１２から所定の範囲内に存する携帯端末１１が呼び出されるように、定期的に書き換えられる。【選択図】図２
2019029894.tif 000002
【特許請求の範囲】
【請求項１】
複数の携帯端末と、
インターホン親機と、
所定の呼出テーブルに基づいて少なくとも前記携帯端末を呼び出すことが可能なインターホン子機と、
前記携帯端末の位置情報を定期的に取得する位置情報システムと、
を備え、
前記呼出テーブルは、前記位置情報に基づいて、前記インターホン子機から所定の範囲内に存する前記携帯端末が呼び出されるように、定期的に書き換えられる、
インターホンシステム。
【請求項２】
複数の携帯端末と、
インターホン親機と、
所定の呼出テーブルに基づいて少なくとも前記携帯端末を呼び出すことが可能なインターホン子機と、
前記携帯端末の位置情報を定期的に取得する位置情報システムと、
を備え、
前記呼出テーブルは、前記位置情報に基づいて、前記インターホン子機から近い順に選択された所定数の前記携帯端末が呼び出されるように、定期的に書き換えられる、
インターホンシステム。
【請求項３】
さらに、
複数のカメラと、
前記複数のカメラの撮像情報を解析する解析装置と、
を備え、
前記複数のカメラと前記複数のインターホン子機とは対応付けて配置されており、
前記解析装置は、前記撮像情報から異常を検出した場合、前記撮像情報を撮像した前記カメラと対応付けられて配置された前記インターホン子機に対して、呼出信号を送信する、
請求項１または請求項２に記載のインターホンシステム。
【請求項４】
前記複数のインターホン子機は、カメラ部を有し、
さらに、
各前記カメラ部の撮像情報を解析する解析装置を備え、
前記解析装置は、前記撮像情報から異常を検出した場合、前記撮像情報を撮像した前記カメラ部を有する前記インターホン子機に対して、呼出信号を送信する、
請求項１または請求項２に記載のインターホンシステム。
【発明の詳細な説明】
【技術分野】
【０００１】
本発明は、インターホンシステムに関する。
【背景技術】
【０００２】
近年、ショッピングモール、工場、空港等の大型の施設に、ＩＰネットワークに対応したインターホンシステムが導入される事例が増えてきている。この種のインターホンシステムは、汎用プロトコルに従って通信が行われるネットワークを利用しており、専用回線を用いるシステムと比較して、多くの台数の機器をネットワークに接続することが可能である（例えば、特許文献１参照）。
従来、例えば、工場内の各所の入り口にそれぞれ設置される複数のインターホン子機と、工場内の各所の守衛室にそれぞれ設置される複数のインターホン親機と、複数の携帯端末とを備えるインターホンシステムが提案されている。このシステムでは、インターホン子機から同時に呼出可能なインターホン親機や携帯端末が予め呼出テーブルに登録される。
【先行技術文献】
【特許文献】
【０００３】
【特許文献１】特開２００５−７９８５７号公報
【発明の概要】
【発明が解決しようとする課題】
【０００４】
例えば工場などの広い施設の夜間警備の際、警備員の人数には限りがあるため、警備員が警備のために守衛室を一時的に空室にして施設内を巡回する場合がある。
従来のインターホンシステムでは、警備員が携帯する携帯端末も呼出信号を受信する構成であるが、呼出信号を受信した携帯端末を有する警備員が、呼出操作がなされたインターホンから遠方に居る場合、呼出があったインターホン子機に警備員が駆けつけるまでに長い時間を要してしまっていた。
このように、従来のインターホンシステムでは、インターホン子機からの呼出に対して、当該インターホン子機から遠方にいる者が応対しようとした場合、応対者が当該インターホン子機が設置されている場所に駆けつけるまでに長時間を要する場合があった。
【０００５】
本発明の目的は、呼出があったインターホン子機が設置されている場所に応対者が駆けつけるまでの時間が長くなることを抑制することが可能なインターホンシステムを提供することである。
【課題を解決するための手段】
【０００６】
本発明にかかるインターホンシステムは、
複数の携帯端末と、
インターホン親機と、
所定の呼出テーブルに基づいて少なくとも前記携帯端末を呼び出すことが可能なインターホン子機と、
前記携帯端末の位置情報を定期的に取得する位置情報システムと、
を備え、
前記呼出テーブルは、前記位置情報に基づいて、前記インターホン子機から所定の範囲内に存する前記携帯端末が呼び出されるように、定期的に書き換えられる。
【０００７】
上記構成によれば、携帯端末を有する者の移動に伴って、呼出テーブルが定期的に書き換えられる。このように、インターホン子機から呼び出すことが可能な携帯端末が、当該インターホン子機から所定範囲内に存するものに維持される。このため、インターホン子機からの呼出に対して、当該インターホン子機から所定の範囲内に居る者が応対することができ、応対者が当該インターホン子機が設置されている場所に駆けつけるまでの時間が長くなってしまうことを抑制することができる。
【０００８】
また、本発明にかかるインターホンシステムは、
複数の携帯端末と、
インターホン親機と、
所定の呼出テーブルに基づいて少なくとも前記携帯端末を呼び出すことが可能なインターホン子機と、
前記携帯端末の位置情報を定期的に取得する位置情報システムと、
を備え、
前記呼出テーブルは、前記位置情報に基づいて、前記インターホン子機から近い順に選択された所定数の前記携帯端末が呼び出されるように、定期的に書き換えられる。
【０００９】
上記構成によれば、携帯端末を有する者の移動に伴って、呼出テーブルが定期的に書き換えられる。このように、インターホン子機から呼び出すことが可能な携帯端末が、当該インターホン子機から近い順に選択された所定数に維持される。このため、インターホン子機からの呼出に対して、当該インターホン子機から近い順に選択された携帯端末を所持する者が応対することができ、応対者が当該インターホン子機が設置されている場所に駆けつけるまでの時間が長くなってしまうことを抑制することができる。
【００１０】
本発明のインターホンシステムにおいて、
さらに、
複数のカメラと、
前記複数のカメラの撮像情報を解析する解析装置と、
を備え、
前記複数のカメラと前記複数のインターホン子機とは対応付けて配置されており、
前記解析装置は、前記撮像情報から異常を検出した場合、前記撮像情報を撮像した前記カメラと対応付けられて配置された前記インターホン子機に対して、呼出信号を送信してもよい。
【００１１】
上記構成によれば、カメラが不審者等を撮像して解析装置がそれを検出した場合、当該カメラと対応付けて配置されたインターホン子機に対して呼出信号が発信される。この結果、当該インターホン子機が、定期的に更新されている呼出テーブルに基づいて、当該インターホン子機の周囲の携帯端末を呼び出すこととなる。このため、不審者を撮像したカメラの周囲に居る者が迅速に当該インターホン子機の設置場所に駆けつけることができる。
【００１２】
本発明のインターホンシステムにおいて、
前記複数のインターホン子機は、カメラ部を有し、
さらに、
各前記カメラ部の撮像情報を解析する解析装置を備え、
前記解析装置は、前記撮像情報から異常を検出した場合、前記撮像情報を撮像した前記カメラ部を有する前記インターホン子機に対して、呼出信号を送信してもよい。
【００１３】
上記構成によれば、インターホン子機のカメラ部が不審者等を撮像して解析装置がそれを検出した場合、当該カメラ部を有するインターホン子機に対して呼出信号が発信される。この結果、当該インターホン子機が、定期的に更新されている呼出テーブルに基づいて、当該インターホン子機の周囲の携帯端末を呼び出すこととなる。このため、不審者を撮像したカメラ部を有するインターホン子機の周囲に居る者が迅速に当該インターホン子機の設置場所に駆けつけることができる。
【発明の効果】
【００１４】
本発明によれば、呼出があったインターホン子機が設置されている場所に応対者が駆けつけるまでの時間が長くなることを抑制することが可能なインターホンシステムを提供することができる。
【図面の簡単な説明】
【００１５】
【図１】本実施形態に係るインターホンシステムを備えた施設の概略構成図である。
【図２】本実施形態に係るインターホンシステムの概略構成図である。
【発明を実施するための形態】
【００１６】
以下、本発明に係るインターホンシステムの実施の形態の例を、図面を参照して説明する。なお、本発明はこれらの例示に限定されるものではなく、特許請求の範囲によって示され、特許請求の範囲と均等の意味および範囲内でのすべての変更が含まれることが意図される。
【００１７】
図１〜２に示すように、本実施形態に係るインターホンシステム１０は、大型の施設１に導入される。施設１は、例えば、ショッピングモール、工場あるいは空港等であり、複数の通用口２を備えている。施設１は、通用口２のうちの特定のものが、夜間通用口２Ａとされている。夜間通用口２Ａ以外の通用口２は、予め設定された時刻に施錠されて夜間における通用が規制された状態とされる。夜間通用口２Ａは、夜間に施設１内で作業を行う作業者などが通用するための通用口である。施設１は、複数の警備員が常駐する守衛室３を備えている。また、施設１は、その周囲に、複数の通信装置１６が間隔をあけて設置されている。
【００１８】
図２に示すように、本実施形態に係るインターホンシステム１０は、携帯端末１１と、インターホン子機１２と、インターホン親機１３と、構内電話交換機１４と、位置情報システム１５と、通信装置１６と、を備えている。さらに、インターホンシステム１０は、アクセスコントローラ１７と、監視カメラ（カメラの一例）１８と、解析装置１９と、を備えている。
【００１９】
インターホンシステム１０は、ＬＡＮ回線Ｌを有しており、インターホン子機１２、インターホン親機１３、構内電話交換機１４、通信装置１６、アクセスコントローラ１７、監視カメラ１８及び解析装置１９は、ＬＡＮ回線Ｌに接続されている。インターホンシステム１０は、ＬＡＮ回線ＬによってＩＰ（インターネット・プロトコル）ネットワークが構築されている。これにより、インターホン子機１２、インターホン親機１３、構内電話交換機１４、通信装置１６、アクセスコントローラ１７、監視カメラ１８及び解析装置１９は、ＬＡＮ回線Ｌによって構築されたＩＰネットワークを介して互いに通信可能とされている。
【００２０】
携帯端末１１は、例えば、スマートフォンや携帯電話などの通信端末である。携帯端末１１は、施設１を警備する複数の警備員に携帯される。通信装置１６は、例えばＷｉｆｉ（登録商標）ルータなどの中継器であり、携帯端末１１は、通信装置１６によって通信可能なエリア（Ｗｉｆｉエリア）において、ＬＡＮ回線Ｌに接続された機器と通信可能とされている。
【００２１】
インターホン子機１２は、施設１の各通用口２に設置されている。インターホン子機１２は、警備員を呼び出して通話するために用いられる。インターホン子機１２とインターホン親機１３とはＬＡＮ回線Ｌを介して通信可能に構成されている。
【００２２】
インターホン子機１２は、子機マイク２１、子機スピーカ２２、呼出ボタン２３、カメラ部２４を備えている。インターホン子機１２は、警備員を呼び出す際に、来訪者が所定の呼出操作を行うためのものであり、施設１の各通用口２における外壁面等に設けられている。
【００２３】
子機マイク２１及び子機スピーカ２２は、来訪者が警備員との間で通話をする際に、音声を入出力するためのものである。呼出ボタン２３は、来訪者が警備員を呼び出すための呼出操作を行う際に来訪者によって操作される部分である。カメラ部２４は、呼出操作を行う来訪者を撮影するためのものである。
【００２４】
インターホン親機１３は、受話器３１、親機スピーカ３２、親機操作部３３、親機表示部３４を備えている。インターホン親機１３は、インターホン子機１２からの来訪者による呼出に応答するためのものであり、守衛室３における壁面等に設けられている。
【００２５】
受話器３１及び親機スピーカ３２は、警備員が来訪者との間で通話をする際に、音声を入出力するためのものである。親機操作部３３は、警備員によって操作される部分である。親機操作部３３は、インターホン子機１２からの呼出に応対するための応対操作を受け付ける。例えば、親機操作部３３を操作することで、インターホン子機１２からの呼出に応対すべく、来訪者との間での通話を可能としたり、施設１の通用口２の扉を開錠する開錠操作が行われる。親機表示部３４は、インターホン子機１２のカメラ部２４で撮影された来訪者の映像を表示するためのものである。
【００２６】
構内電話交換機１４は、例えば、ＰＢＸ（Private Branch Exchange）等の交換機である。構内電話交換機１４は、インターホン子機１２からの呼出に対して、インターホン親機１３及び複数の携帯端末１１のうちの選択した所定の携帯端末１１を応答可能とする。例えば、インターホンシステム１０が１０台の携帯端末１１を備えている場合に、そのうちの所定の３台をインターホン子機１２からの呼出に応対可能とする。
【００２７】
位置情報システム１５は、構内電話交換機１４に設けられている。位置情報システム１５は、パーソナルコンピュータ等からなるもので、その記憶部には、呼出テーブルが記憶されている。呼出テーブルは、構内電話交換機１４で携帯端末１１を選択する際に用いられるテーブルである。位置情報システム１５は、携帯端末１１の位置情報を定期的に取得し、その位置情報に基づいて、呼出テーブルを書き換える。携帯端末１１の位置情報は、施設１の周囲に配置させた通信装置１６を介して取得する。
【００２８】
位置情報システム１５において、呼出テーブルは、位置情報に基づいて、インターホン子機１２から所定の範囲内に存する所定数の携帯端末１１が呼び出されるように、定期的に書き換えられる。例えば、呼出テーブルは、携帯端末１１の位置情報に基づいて、インターホン子機１２から近い順に選択された所定数の携帯端末１１が呼び出されるように書き換えられる。
【００２９】
構内電話交換機１４及び位置情報システム１５は、施設１に設けられたサーバールーム４に設置されている。
【００３０】
アクセスコントローラ１７は、施設１の各通用口２に設けられている。アクセスコントローラ１７は、例えば、警備員や特定者が所持する磁気カードやＩＣカードなどのセキュリティカードをかざすことで、通用口２の扉の電子錠の開錠を行う。
【００３１】
監視カメラ１８は、施設１の各通用口２の付近などを含む所定位置に設けられている。監視カメラ１８は、各通用口２に設けられたインターホン子機１２にそれぞれ対応付けられて配置されている。監視カメラ１８は、その設置場所の映像を撮影し、その撮像情報を、ＬＡＮ回線Ｌを介して解析装置１９へ送信する。
【００３２】
解析装置１９は、監視カメラ１８及びインターホン子機１２のカメラ部２４とともに、監視カメラシステムを構成する。解析装置１９は、モーション検知機能を有しており、このモーション検知機能によって、異常の有無を監視する。
【００３３】
解析装置１９には、各監視カメラ１８で撮影された映像の撮像情報が送信される。解析装置１９は、監視カメラ１８からの撮像情報に基づいて、モーション検知機能によって異常の有無を監視する。解析装置１９は、監視カメラ１８からの映像における異常な動きなどを検知して異常有りと判定すると、その映像を撮影した監視カメラ１８に対応付けられたインターホン子機１２に対して呼出信号を送信する。
【００３４】
また、解析装置１９には、各インターホン子機１２のカメラ部２４で撮影された映像の撮像情報も送信される。解析装置１９は、インターホン子機１２からの撮像情報に基づいて、モーション検知機能によって異常の有無を監視する。解析装置１９は、インターホン子機１２からの映像における異常な動きなどを検知して異常有りと判定すると、その映像を撮影したカメラ部２４を有するインターホン子機１２に対して呼出信号を送信する。
【００３５】
上記構成のインターホンシステム１０を備えた施設１では、予め設定された時刻になると、通用口２の扉が施錠されて通行不可とされ、所定の通用口２が夜間通用口２Ａとされた夜間警備モードとなる。この夜間警備モードにおける呼出応対について説明する。
【００３６】
（通常呼出）
来訪者によってインターホン子機１２の呼出ボタン２３が押下されると、守衛室３に設けられたインターホン親機１３の親機スピーカ３２から呼出音が報知される。また、このインターホン親機１３での呼出音の報知とともに、呼出操作が行われたインターホン子機１２から所定の範囲に存する所定数の携帯端末１１で呼出動作が行われる。これらの携帯端末１１は、位置情報システム１５の記憶部に記憶されている呼出テーブルに基づいて選択される。例えば、これらの呼出動作が行われる携帯端末１１は、呼出操作が行われたインターホン子機１２から近い順に選択された所定数の携帯端末１１である。
【００３７】
これにより、守衛室３に警備員が居る場合、その警備員が守衛室３のインターホン親機１３でインターホン子機１２からの呼出に応対する。また、警備員が巡回していて守衛室３に警備員が居ないためにインターホン親機１３による呼出応対ができない場合、または、守衛室３に居る警備員が手が離せずインターホン親機１３による呼出応対ができない場合には、呼出動作が行われる携帯端末１１を所持している警備員がインターホン子機１２からの呼出に応対する。
【００３８】
このとき、呼出動作が行われる携帯端末１１は、呼出操作が行われたインターホン子機１２から近い順に選択された所定数の携帯端末１１である。したがって、警備員は、インターホン子機１２の呼出に対応し、呼出操作が行われたインターホン子機１２の設置場所へ迅速に駆けつけることが可能である。
【００３９】
（異常時呼出）
解析装置１９は、監視カメラ１８で撮影された映像の撮像情報を解析し、その撮像情報から異常を検知した際に、異常が検知された撮像情報を送信した監視カメラ１８に対応付けられたインターホン子機１２に対して呼出信号を送信する。
【００４０】
また、解析装置１９は、インターホン子機１２のカメラ部２４で撮影された映像の撮像情報を解析し、その撮像情報から異常を検知した際にも、異常が検知された撮像情報を撮影したカメラ部２４を有するインターホン子機１２に対して呼出信号を送信する。
【００４１】
インターホン子機１２に呼出信号が送信されると、守衛室３に設けられたインターホン親機１３の親機スピーカ３２から呼出音が報知される。また、このインターホン親機１３での呼出音の報知とともに、呼出信号が送信されたインターホン子機１２から、呼出テーブルに基づいて選択された所定の範囲に存する所定数の携帯端末１１で呼出動作が行われる。つまり、呼出信号が送信されたインターホン子機１２から近い順に選択された所定数の携帯端末１１で呼出動作が行われる。
【００４２】
守衛室３に警備員が居る場合、その警備員は、守衛室３のインターホン親機１３で異常を確認することが可能である。また、警備員が巡回していて守衛室３に警備員が居ないためにインターホン親機１３による異常の確認ができない場合、または、守衛室３に居る警備員が手が離せずインターホン親機１３による異常の確認ができない場合には、呼出動作が行われる携帯端末１１を所持している警備員が携帯端末１１によって異常を確認することが可能である。
【００４３】
このとき、呼出動作が行われる携帯端末１１は、呼出信号が送信されたインターホン子機１２から近い順に選択された所定数の携帯端末１１である。したがって、インターホン子機１２の呼出に対応し、警備員は、異常のある映像を撮影した監視カメラ１８に対応付けられたインターホン子機１２の設置場所、あるいは異常のある映像を撮影したカメラ部２４を備えたインターホン子機１２の設置場所へ迅速に駆けつけることが可能である。
【００４４】
以上、説明したように、本実施形態に係るインターホンシステム１０によれば、携帯端末１１を有する警備員の移動に伴って、呼出テーブルが定期的に書き換えられる。このように、インターホン子機１２から呼び出すことが可能な携帯端末１１が、当該インターホン子機１２から所定範囲内に存するものに維持される。このため、インターホン子機１２からの呼出に対して、当該インターホン子機１２から所定の範囲内に居る警備員が応対することができ、警備員が当該インターホン子機１２が設置されている場所に駆けつけるまでの時間が長くなってしまうことを抑制することができる。
【００４５】
例えば、位置情報に基づいて、インターホン子機１２から近い順に選択された所定数の携帯端末１１が呼び出されるように、呼出テーブルが定期的に書き換えられるようにする。このようにすれば、インターホン子機１２からの呼出に対して、当該インターホン子機１２から近い順に選択された携帯端末１１を所持する警備員が応対することができ、警備員が当該インターホン子機１２が設置されている場所に駆けつけるまでの時間が長くなってしまうことを抑制することができる。
【００４６】
また、本実施形態によれば、監視カメラ１８が不審者等を撮像して解析装置１９がそれを検出した場合、当該監視カメラ１８と対応付けて配置されたインターホン子機１２に対して呼出信号が発信される。この結果、当該インターホン子機１２が、定期的に更新されている呼出テーブルに基づいて、当該インターホン子機１２の周囲の携帯端末１１を呼び出すこととなる。このため、不審者を撮像した監視カメラ１８の周囲に居る警備員が迅速に当該インターホン子機１２の設置場所に駆けつけることができる。
【００４７】
さらに、インターホン子機１２のカメラ部２４が不審者等を撮像して解析装置１９がそれを検出した場合、当該カメラ部２４を有するインターホン子機１２に対して呼出信号が発信される。この結果、当該インターホン子機１２が、定期的に更新されている呼出テーブルに基づいて、当該インターホン子機１２の周囲の携帯端末１１を呼び出すこととなる。このため、不審者を撮像したカメラ部２４を有するインターホン子機１２の周囲に居る警備員が迅速に当該インターホン子機１２の設置場所に駆けつけることができる。
【００４８】
なお、上記実施形態では、呼出が行われたインターホン子機１２から近い順に選択された所定数の携帯端末１１を呼び出す動作を例示したが、呼び出す携帯端末１１は、呼出が行われたインターホン子機１２から近い順に選択された所定数のものに限らず、例えば、ＡＥＤ（自動体外式除細動器）などの設置場所の近くの所定数の携帯端末１１としてもよい。
【符号の説明】
【００４９】
１０：インターホンシステム、１１：携帯端末、１２：インターホン子機、１３：インターホン親機、１５：位置情報システム、１８：監視カメラ（カメラ）、１９：解析装置、２４：カメラ部
【図１】
2019029894.tif 000003
【図２】
2019029894.tif 000004